(57)【特許請求の範囲】
【請求項１】
缶胴と缶蓋との巻締部を所定間隔で切断して一対のスリットを形成し、該スリットに挟まれた切断部分を缶の内方に押し込んで検査用間隙を形成し、該検査用間隙に面する巻締部の切断面を検査する缶の巻締部検査において、前記検査用間隙を形成する際に用いられる巻締部押え治具であって、
前記缶胴と缶蓋の巻締部に被着される治具本体を備え、
該治具本体には、巻締部内周に嵌合し巻締部内周を押えるための巻締部内周押え部と、前記切断部分に対応する切欠きが設けられ、該切欠きによって前記巻締部内周押え部が周方向に分断されて前記切断部分を缶の内方に押し込み可能となっており、
さらに、前記治具本体の前記缶蓋のパネル面との対向面には凹部が設けられ、該凹部に前記切断部分の押し込み時に缶蓋のパネル面を押えるためのパネル押え部材がパネル面に対して位置調整可能に取り付けられていることを特徴とする巻締部押え治具。
【請求項２】
治具本体には巻締部が嵌合する環状溝が設けられ、該環状溝の内径側の溝壁が前記巻締部内周押え部となっている請求項１に記載の巻締部押え治具。
【発明の詳細な説明】
【０００１】
【発明の属する技術分野】
本発明は、缶の巻締部を切断して検査する巻締部検査方法および検査用間隙を形成する際に用いる巻締部押え治具に関する。
【０００２】
【従来の技術】
金属缶において、缶胴と缶蓋とを接合（密封）するため、二重巻締法と呼ばれる接合（密封）方法が一般的に採られている。
この二重巻締とは、缶蓋の蓋カールを缶胴の缶胴フランジに外方から抱き合わせるように巻き込んで圧着し、缶胴と缶蓋を接合することであり、操作は２段階でなされる。まず、ファーストシーミングロールによって蓋カール，缶胴フランジを抱き合わせて巻き込み、次にセカンドシーミングロールにより胴部を圧着して、シーリングコンパウンドを巻締内部の空げきに満たし、気密を保持させる。
この二重巻締法によって密封された部分は、その接着性(密封性)を確認するため、巻締部を切断し、切断面の各寸法を測定し、測定値が予め測定された基準値に基づく基準範囲内であるかを判別して、その巻締が正常に行われたかを確認する方法が一般的に行われている。
【０００３】
本出願人は、特願２０００−４０２４４２「缶の巻締部切断装置」として、精度良く巻締部を切断し、その切断面をＣＣＤカメラ等で撮像可能にして巻締状態を精度よく検査することができるように缶の巻締部を切断する装置を提案している。
切断された巻締部はそのままの状態ではＣＣＤカメラ等を挿入する間隙がないため、通常は、図６（Ａ）に示すように、２枚の平行刃（不図示）を用いて一対のスリット１０１，１０２を形成し、このスリット１０１，１０２によって挟まれた切断部分１０３を、手指もしくは機械的動作により、缶の中心方向に向かって押し込み、ＣＣＤカメラ等による検査用間隙１０４を形成していた。
【０００４】
【発明が解決しようとする課題】
しかしながら上記した従来の検査方法では、切断面を正確に形成したとしても、切断部分１０３を押し込む際に、押し込む力の影響により、残存する検査対象となる巻締部１０５が変形してしまい、正確な寸法測定ができない場合があった。たとえば、図６（Ｂ）に示すように、切断部分１０３は缶の内方にＬ字状に折り曲げられるが、折り曲げた際に、缶蓋１０６側の折り曲げ部１０３ａが上方に持ち上がり、缶蓋１０６周縁に位置する巻締部１０５が中心に向かって引っ張られ、図６（Ｃ）に示すように、巻締部の付け根部が開き勝手となるように変形する場合がある。このように巻締部１０５が変形すると、正確な寸法測定ができなくなる。
また、これらの作業を自動化し、更には断面の検査までをも一連の流れとして実行する装置も提案されているが（特開平９−２１７６２号参照）、機械的に押し込む際に、やはり押し込む力の影響により、巻締部の残った部分が変形してしまい、正確な寸法測定ができないという問題点がある。
【０００５】
本発明は上記した従来技術の問題点を解決するためになされたもので、巻締部の切断部分を押し込む際の巻締部の変形を防止して正確な検査を行い得る缶の巻締部検査方法および巻締部押え治具を提供することにある。
【０００６】
【課題を解決するための手段】
上記目的を達成するために、本発明にあっては、缶胴と缶蓋との巻締部を所定間隔で切断して一対のスリットを形成し、該スリットに挟まれた切断部分を缶の内方に押し込んで検査用間隙を形成し、該検査用間隙に面する巻締部の切断面を検査する缶の巻締部検査において、前記検査用間隙を形成する際に用いられる巻締部押え治具であって、
前記缶胴と缶蓋の巻締部に被着される治具本体を備え、
該治具本体には、巻締部内周に嵌合し巻締部内周を押えるための巻締部内周押え部と、前記切断部分に対応する切欠きが設けられ、該切欠きによって前記巻締部内周押え部が周方向に分断されて前記切断部分を缶の内方に押し込み可能となっており、
さらに、前記治具本体の前記缶蓋のパネル面との対向面には凹部が設けられ、該凹部に前記切断部分の押し込み時に缶蓋のパネル面を押えるためのパネル押え部材がパネル面に
対して位置調整可能に取り付けられていることを特徴とする。
【０００７】
治具本体には巻締部が嵌合する環状溝が設けられ、該環状溝の内径側の溝壁が前記巻締部内周押え部となっていることが好適である。
【０００８】
【発明の実施の形態】
以下に本発明を図示の実施の形態に基づいて説明する。
図１乃至図３は、本発明の実施の形態に係る巻締部押え治具を示している。
この巻締部押え治具１は、缶胴１１と缶蓋１２の巻締部１３に被着される治具本体２を備え、治具本体２は巻締部１３内周を押えるための巻締部内周押え部３を有している。
治具本体２は巻締部１３の外径よりも大径の扁平な円柱形状で、その下面には巻締部１０３が嵌合する円形の環状溝４が設けられ、この環状溝４の内径側のほぼ垂直の溝壁が前記巻締部内周押え部３を構成する。環状溝４の溝深さは巻締部１３の高さ寸法とほぼ等しく、巻締部１３全体が溝内に嵌合する構成となっており、嵌合時には環状溝４の上底壁４１に巻締部１３上端が当接する。環状溝３０の外径側溝壁４２は巻締部１３外周との間に隙間が設けられており、溝開放側に向かって徐々に拡径するような僅かなテーパ形状となっている。
【０００９】
また、治具本体２下面であって、上記環状溝４の内側には円形の凹部５が設けられ、この凹部５には、缶蓋１２のパネル面を押えるためのパネル押え部材としてのパネル押えプレート６がパネル面に対して位置調整可能に取り付けられている。この例では、治具本体２の中央に貫通形成されたねじ孔２ａに調整ねじ７がねじ込まれ、この調整ねじ７の下端にパネル押えプレート５が固定ねじ８によってねじ止めされている。したがって、調整ねじ７を回すことによってパネル押えプレート６が上下に移動する構成となっている。図示例は、缶蓋１２にタブ等が無い場合に適用した例で、パネル押えプレート６が直接缶蓋１２に接触しているが、タブ等がある場合にはタブ等を介して缶蓋１２のパネル面を押さえることになる。この場合、パネル押えプレート６はタブ等の厚み分だけ凹部５内に引っ込んだ位置となる。また、タブにリベット等の凸部がある場合には、パネル押えプレート６にリベット等を逃がすための凹部を設けることが好ましい。また、治具本体２には、巻締部１３の切断部分１６に対応する切欠き９が設けられている。この切欠き９は治具本体２外周から中心方向に向けて環状溝４を越えて切り込まれており、切欠き９によって環状溝４が周方向に分断され、切断部分１６の折り曲げ作業を妨げないようになっている。
【００１０】
缶の巻締部１３には、測定箇所に対応して一対の平行刃によって所定間隔を隔てた一対のスリット１４，１５が形成されている。このうち、一方のスリット１４が缶蓋１２の中心Ｏを通る線上に正確に位置するように切断され、この切断面が検査面となる。測定個所は円周方向に通常は２〜３箇所、図示例では３箇所に、ほぼ等間隔に設けられている。
治具本体２の切欠き９の幅は切断部分１６の幅よりも若干大きく、特に、一方の切欠き９の端壁９１は、検査される巻締部１３のスリット１４に近接するように装着する。
【００１１】
次に、上記巻締部押え治具を用いた巻締部検査方法について、図４を参照して説明する。
まず、缶胴１１と缶蓋１２との巻締部１３を所定間隔で切断し一対のスリット１４，１５によって挟まれた切断部分１６を、３箇所に形成する。
次に、巻締部押え治具１を缶蓋１２に被せ、治具本体２下面の環状溝４内に缶の巻締部１３を差し込む。差し込んだ時点で、環状溝４の内側壁面により構成される巻締部内周押え部３が巻締部１３内周面に接触し、巻締部１３上端が環状溝４の上底壁４１に当接する。このとき、巻締部押え治具１の切欠き９が缶の切断部分１６に合致するように、治具１を周方向に回転させて位置調整をする。
次いで、調整ねじ７を回してパネル押えプレート６を下方に移動させて缶蓋１２のパネル面に当接させる（図４（Ａ），（Ｂ）参照）。
【００１２】
この状態で、手指あるいは機械的に切断部分を缶の内方に押し込んで検査用間隙１７を形成する（図５（Ｃ）参照）。この押し込んだ際に、図５に示すように、巻締部１３内周は巻締部押え治具の巻締部内周押え部３によって押えられているので、どのような力が作用してもその変形が防止される。特に、パネル押えプレート６によって缶蓋１２を押えることにより、缶蓋１２の上方への変位が押えられるので、缶蓋１２の上方変位による巻締部１３の変形を防止することができる。３箇所全ての切断部分１６を押し込んで検査用間隙１７を形成した後、ＣＣＤカメラなどによって検査用間隙１７に面する巻締部１３の切断面を撮影し、各部寸法測定を行う。また、本発明の巻締部押え治具は、２ピース（缶胴＋缶蓋）、３ピース（缶胴＋天蓋（タブ付き）＋底蓋（タブなし））のいずれの缶にも対応可能である。
【００１３】
【発明の効果】
以上説明したように、本発明にあっては、巻締部内周に嵌合する内周押え部を有する巻締部押え治具によって巻締部内周を押えた状態で切断部分を缶の内方に押し込んで検査用間隙を形成し、残存する巻締部切断面の検査を行うように構成したので、押込み時に巻締部残存部の変形を防止することができ、巻締部の切断面の寸法測定精度向上を図ることができる。
【００１４】
特に、治具本体に切断部分に対応する切欠きを設け、切欠きによって内周押え部を周方向に分断しておくことにより、切断部分の折り曲げ時に治具の巻締部内周押え部が干渉することなく、スムースに折り曲げることができる。さらに、缶蓋のパネル面を押えるためのパネル押え部材をパネル面に対して位置調整可能に取り付けることにより、缶蓋の浮き上がりを防止して巻締部残存部の変形をより確実に防止することができる。
【００１５】
請求項２に記載の発明によれば、治具本体に巻締部が嵌合する環状溝を設け、この環状溝の内径側の溝壁により巻締部内周押え部を構成することにより、治具本体の装着容易化を図ることができる。
【図面の簡単な説明】
【図１】図１は本発明の実施の形態に係る巻締部押え治具を示すもので、図１（Ａ）は治具を缶に装着した状態の断面図、同図（Ｂ）は同図（Ａ）の環状溝近傍の拡大断面図、同図（Ｃ）は同図（Ａ）の上面図である。
【図２】図２（Ａ）は図１の治具の分解斜視図、同図（Ｂ）は組み立てた状態の斜視図である。
【図３】図３（Ａ）は図１の巻締部押え治具の分解断面図、同図（Ｂ）は治具本体の底面図である。
【図４】図４（Ａ）乃至（Ｄ）は図１の巻締部押え治具を用いた切断部分の押込み手順を示す説明図である。
【図５】図５は図４（Ｃ）の押込み部折曲状態の一例を示す要部拡大断面図である。
【図６】図６（Ａ）は従来の切断部分を押し込んだ状態の缶の斜視図、同図（Ｂ）は押し込まれた切断部分の拡大断面図、同図（Ｃ）は巻締部が変形した状態の拡大断面図である。
【符号の説明】
１  巻締部押え治具、２  治具本体、３  巻締部内周押え部
４  環状溝、５  凹部、６  パネル押えプレート、２ａ  ねじ孔、
７  調整ねじ、８  固定ねじ、９  切欠き
１１  缶胴、１２  缶蓋、１３  巻締部、
１４，１５  スリット、１６  切断部分、１７  検査用間隙
【図１】
0004815714.tif 000002
【図２】
0004815714.tif 000003
【図３】
0004815714.tif 000004
【図４】
0004815714.tif 000005
【図５】
0004815714.tif 000006
【図６】
0004815714.tif 000007